(57)【要約】【課題】ＤＣ／ＤＣコンバータの中間リンクコンデンサ容量を小さくできる電力供給機器及び電力供給システムを提供する。【解決手段】直流発電された第１直流電力が直流入力され、第１直流電力を第２直流電力に変換し、出力側に設けられた中間リンクコンデンサを介して直流出力する、複数のＤＣ／ＤＣコンバータと、複数のＤＣ／ＤＣコンバータから直流入力された第２直流電力を変換して交流出力するインバータとを備える電力供給機器であって、複数のＤＣ／ＤＣコンバータのそれぞれとインバータとの間は、複数の配線路によりそれぞれ接続され、複数の配線路の各配線路のインピーダンスの最大値と最小値の差が所定値以下であることを特徴とする電力供給機器。【選択図】図１
2017034764.tif 000002
【特許請求の範囲】
【請求項１】
直流発電された第１直流電力が直流入力され、前記第１直流電力を第２直流電力に変換し、出力側に設けられた中間リンクコンデンサを介して直流出力する、複数のＤＣ／ＤＣコンバータと、
前記複数のＤＣ／ＤＣコンバータから直流入力された前記第２直流電力を変換して交流出力するインバータと
を備える電力供給機器であって、
前記複数のＤＣ／ＤＣコンバータのそれぞれと前記インバータとの間は、複数の配線路によりそれぞれ接続され、
前記複数の配線路の各配線路のインピーダンスの最大値と最小値の差が所定値以下であることを特徴とする電力供給機器。
【請求項２】
前記各配線路は、各ＤＣ／ＤＣコンバータに対応する配線を含み、
前記各ＤＣ／ＤＣコンバータに対応する配線の長さがそれぞれ略等しいことを特徴とする、請求項１に記載の電力供給機器。
【請求項３】
前記各配線路は、バスラインと該バスラインに接続される各ＤＣ／ＤＣコンバータに対応する分岐配線とを含み、
前記インバータは前記バスラインの一端に接続され、
前記各ＤＣ／ＤＣコンバータは、対応する前記分岐配線を介して前記バスラインに接続され、
前記各ＤＣ／ＤＣコンバータから前記分岐配線及び前記バスラインを経て前記インバータに至る、前記各ＤＣ／ＤＣコンバータの導電経路の長さが、それぞれ略等しいことを特徴とする、請求項１に記載の電力供給機器。
【請求項４】
前記各配線路は、バスラインと該バスラインに接続される各ＤＣ／ＤＣコンバータに対応する分岐配線とを含み、
前記インバータは前記バスラインの一端に接続され、
前記各ＤＣ／ＤＣコンバータは、対応する前記分岐配線を介して前記バスラインに接続され、
前記インバータから前記分岐配線の接続部までの導電経路が長いほど、該接続部におけるバスラインの断面積が大きいことを特徴とする、請求項１に記載の電力供給機器。
【請求項５】
前記各配線路は、前記インバータに各ＤＣ／ＤＣコンバータを順次に接続するバスバーを含み、
前記インバータから前記各ＤＣ／ＤＣコンバータに至る導電経路が長いほど、該ＤＣ／ＤＣコンバータに接続される前記バスバーの断面積が大きいことを特徴とする、請求項１に記載の電力供給機器。
【請求項６】
前記各配線路は、前記インバータに各ＤＣ／ＤＣコンバータを順次に接続するリード線を含み、
前記インバータから前記各ＤＣ／ＤＣコンバータに至る導電経路が長いほど、該ＤＣ／ＤＣコンバータに接続される前記リード線の本数が多いことを特徴とする、請求項１に記載の電力供給機器。
【請求項７】
直流電源と、電力供給機器とを備える電力供給システムであって、
前記電力供給機器は、
前記直流電源で直流発電された第１直流電力が直流入力され、前記第１直流電力を第２直流電力に変換し、出力側に設けられた中間リンクコンデンサを介して直流出力する、複数のＤＣ／ＤＣコンバータと、
前記複数のＤＣ／ＤＣコンバータから直流入力された前記第２直流電力を変換して交流出力するインバータとを備え、
前記複数のＤＣ／ＤＣコンバータのそれぞれと前記インバータとの間は、複数の配線路によりそれぞれ接続され、
前記複数の配線路の各配線路のインピーダンスの最大値と最小値の差が所定値以下であることを特徴とする電力供給システム。
【発明の詳細な説明】
【技術分野】
【０００１】
本発明は、電力供給機器及び電力供給システムに関する。
【背景技術】
【０００２】
従来、複数の分散型発電装置とこれらにより発電される直流電力を変換するための複数のＤＣ／ＤＣコンバータと直流電力を交流電力に変換するインバータとを備えるマルチＤＣリンクシステムが知られている（例えば、特許文献１参照）。そして、このようなマルチＤＣリンクシステムにおいても、出力の大容量化及び機器の長寿命化が要求されている。
【先行技術文献】
【特許文献】
【０００３】
【特許文献１】特表２００７−５２０９８５号公報
【発明の概要】
【発明が解決しようとする課題】
【０００４】
ところが、マルチＤＣリンクシステムのような多入力のシステムにおいて、出力の大容量化及び機器の長寿命化への要求を満たすためには、ＤＣ／ＤＣコンバータで用いられる中間リンクコンデンサの容量を大きくする必要がある。さらに、インバータと各ＤＣ／ＤＣコンバータとの間の配線インピーダンスの違いに起因して、ＤＣ／ＤＣコンバータ間で中間リンクコンデンサにかかる負担に偏りが生じるので、最も負担がかかる中間リンクコンデンサに合わせて中間リンクコンデンサの容量を大きくする必要がある。
【０００５】
そこで本発明は、上述の点に鑑みてなされたものであり、ＤＣ／ＤＣコンバータの中間リンクコンデンサ容量を小さくできる電力供給機器及び電力供給システムを提供することを目的とする。
【課題を解決するための手段】
【０００６】
上記課題を解決するために本発明の一実施形態に係る電力供給機器は、
直流発電された第１直流電力が直流入力され、前記第１直流電力を第２直流電力に変換し、出力側に設けられた中間リンクコンデンサを介して直流出力する、複数のＤＣ／ＤＣコンバータと、
前記複数のＤＣ／ＤＣコンバータから直流入力された前記第２直流電力を変換して交流出力するインバータと
を備える電力供給機器であって、
前記複数のＤＣ／ＤＣコンバータのそれぞれと前記インバータとの間は、複数の配線路によりそれぞれ接続され、
前記複数の配線路の各配線路のインピーダンスの最大値と最小値の差が所定値以下であることを特徴とする。
【０００７】
上記課題を解決するために本発明の一実施形態に係る電力供給システムは、
直流電源と、電力供給機器とを備える電力供給システムであって、
前記電力供給機器は、
前記直流電源で直流発電された第１直流電力が直流入力され、前記第１直流電力を第２直流電力に変換し、出力側に設けられた中間リンクコンデンサを介して直流出力する、複数のＤＣ／ＤＣコンバータと、
前記複数のＤＣ／ＤＣコンバータから直流入力された前記第２直流電力を変換して交流出力するインバータとを備え、
前記複数のＤＣ／ＤＣコンバータのそれぞれと前記インバータとの間は、複数の配線路によりそれぞれ接続され、
前記複数の配線路の各配線路のインピーダンスの最大値と最小値の差が所定値以下であることを特徴とする。
【発明の効果】
【０００８】
本発明の電力供給機器及び電力供給システムによれば、ＤＣ／ＤＣコンバータの中間リンクコンデンサ容量を小さくすることができる。
【図面の簡単な説明】
【０００９】
【図１】一実施形態に係る電力供給システムのブロック図である。
【図２】ＤＣ／ＤＣコンバータの回路図である。
【図３】比較例に係るインバータとＤＣ／ＤＣコンバータとの接続を示す図である。
【図４】中間リンクコンデンサに流れるリップル電流の波形の例である。
【図５】一実施形態に係るインバータとＤＣ／ＤＣコンバータとの接続例１である。
【図６】一実施形態に係るインバータとＤＣ／ＤＣコンバータとの接続例２である。
【図７】一実施形態に係るインバータとＤＣ／ＤＣコンバータとの接続例３である。
【図８】一実施形態に係るインバータとＤＣ／ＤＣコンバータとの接続例４である。
【図９】一実施形態に係るインバータとＤＣ／ＤＣコンバータとの接続例５である。
【発明を実施するための形態】
【００１０】
（実施形態）
以下、本発明に係る実施形態について、図面を参照しながら詳細に説明する。
【００１１】
［システム構成］
図１は、一実施形態に係る電力供給システム１のブロック図である。本実施形態に係る電力供給システム１は、電力供給機器１０と、太陽光発電ユニット５−１〜４（以下まとめて太陽光発電ユニット５ともいう）とを備える。電力供給機器１０は、太陽光発電ユニット５−１〜４にそれぞれ対応する複数のＤＣ／ＤＣコンバータ２−１〜４（それぞれ同じ仕様のものであり、以下まとめて、ＤＣ／ＤＣコンバータ２ともいう）と、インバータ３と、蓄電池ユニット４と、双方向ＤＣ／ＤＣコンバータ４１とを備える。複数のＤＣ／ＤＣコンバータ２の各ＤＣ／ＤＣコンバータ２とインバータ３との間は、複数の配線路によって接続される。また、複数のＤＣ／ＤＣコンバータ２はそれぞれ太陽光発電ユニット５に接続される。図１では４つのＤＣ／ＤＣコンバータ２−１〜４が太陽光発電ユニット５−１〜４に接続されているが、接続される数はこれに限られない。また、蓄電池ユニット４は、双方向ＤＣ／ＤＣコンバータ４１を介して複数のＤＣ／ＤＣコンバータ２及びインバータ３に接続される。また電力供給機器１０のインバータ３は、商用電力系統６に接続される。
【００１２】
［ＤＣ／ＤＣコンバータ］
図２は、ＤＣ／ＤＣコンバータ２の回路図である。ＤＣ／ＤＣコンバータ２は、入力コンデンサ２１と、ＤＣリアクトル２２と、スイッチ２３と、ダイオード２４と、中間リンクコンデンサ２５とを備える。ＤＣ／ＤＣコンバータ２は、入力側に太陽光発電ユニット５が接続され、出力側にインバータ３が接続される。ＤＣ／ＤＣコンバータ２は、入力側から出力側まで、入力コンデンサ２１と、ＤＣリアクトル２２と、スイッチ２３と、ダイオード２４と、中間リンクコンデンサ２５とが順に設けられる。つまり、ＤＣ／ＤＣコンバータ２において、中間リンクコンデンサ２５は出力側に設けられる。また、ＤＣ／ＤＣコンバータ２において、入力コンデンサ２１と、スイッチ２３と、中間リンクコンデンサ２５とは、並列に接続され、ＤＣリアクトル２２と、ダイオード２４とは直列に接続される。入力コンデンサ２１と中間リンクコンデンサ２５とは、例えば電解コンデンサであるが、これに限られない。またスイッチ２３は、例えば半導体スイッチング素子と還流ダイオードとを含むものであるが、これに限られない。このような図２の回路図は昇圧回路を示しているが、これに限られるものではなく、降圧回路であってもよい。
【００１３】
ＤＣ／ＤＣコンバータ２の入力コンデンサ２１は、直流発電された直流電力（第１直流電力）が入力される。またＤＣ／ＤＣコンバータ２は、第１直流電力をＤＣ／ＤＣ変換することによって第２直流電力に変換し、前記中間リンクコンデンサを介して出力する。
【００１４】
図２において、ＤＣ／ＤＣコンバータ２に直流電圧が入力された状態で、スイッチ２３がオン／オフを繰り返すと、ＤＣリアクトル２２が昇圧回路として働き、ダイオード２４の出力側には、入力された直流電圧よりも高い電圧が出力される。この電圧はスイッチ２３のオン／オフによる脈流を含むため、中間リンクコンデンサ２５によって平滑化され、インバータ３に出力される。
【００１５】
［ＤＣ／ＤＣコンバータとインバータとの接続］
ＤＣ／ＤＣコンバータ２の中間リンクコンデンサ２５は、インバータ３の入力コンデンサでもある。インバータ３は、ＤＣ／ＤＣコンバータ２から入力された第２直流電力を内部のスイッチ素子をオン／オフすること（以下、スイッチングともいう）によって交流電力に変換して交流出力する。このスイッチングの際、中間リンクコンデンサ２５にはリップル電流が流れる。リップル電流の大きさは、中間リンクコンデンサ２５からインバータ３までのインピーダンスの大きさによって決定されるものであり、当該インピーダンスが小さいほどリップル電流は大きい。
【００１６】
＜比較例＞
図３は、比較例に係るインバータ３とＤＣ／ＤＣコンバータ２−１〜４との接続を示す図である。インバータ３とＤＣ／ＤＣコンバータ２−１とを接続する配線路の導電経路の長さはＬ１である。同様に、インバータ３とＤＣ／ＤＣコンバータ２−２、３、４とを接続する配線路の導電経路の長さはそれぞれＬ２、Ｌ３、Ｌ４である。ここで、Ｌ１〜Ｌ４の間には、Ｌ１＜Ｌ２＜Ｌ３＜Ｌ４という大小関係が成り立つ。図３においては配線路の断面積が一定であるものとする。そうするとインバータ３とＤＣ／ＤＣコンバータ２−１との間のインピーダンスは、インバータ３とＤＣ／ＤＣコンバータ２−４との間のインピーダンスよりも小さい。なお比較例に係る配線路は、リード線であってもよいし、配線基板上に形成された配線であってもよいし、その他種々の態様の配線であってよい。
【００１７】
図４は、中間リンクコンデンサ２５に流れるリップル電流の波形の例である。図４（ａ）は、図３においてインバータ３までのインピーダンスが最も大きいＤＣ／ＤＣコンバータ２−４の中間リンクコンデンサ２５に流れるリップル電流の波形である。図４（ｂ）は、図３においてインバータ３までのインピーダンスが最も小さいＤＣ／ＤＣコンバータ２−１の中間リンクコンデンサ２５に流れるリップル電流の波形である。図４（ａ）のリップル電流よりも図４（ｂ）のリップル電流の方が実効値で約１．５倍大きいが、この違いはインバータ３から中間リンクコンデンサ２５までのインピーダンスの違いにより生じている。
【００１８】
中間リンクコンデンサ２５として用いられる電解コンデンサは、電圧印加時の温度に応じた速さで劣化する。さらにリップル電流による自己温度上昇の影響を受けた場合、電解コンデンサはより速く劣化し、その寿命が短くなる。ここで、電解コンデンサの容量が大きいほどリップル電流による自己温度上昇の影響を受けにくいため、大きいリップル電流が流れる回路に設けられる電解コンデンサの容量は大きくされることが好ましい。図３における各ＤＣ／ＤＣコンバータ２の中間リンクコンデンサ２５に流れるリップル電流を比較すると、ＤＣ／ＤＣコンバータ２−１の中間リンクコンデンサ２５に流れるリップル電流の実効値が最も大きい。よって、ＤＣ／ＤＣコンバータ２−１の中間リンクコンデンサ２５の容量が最も大きくされることが要求される。
【００１９】
しかしながら本実施形態において、ＤＣ／ＤＣコンバータ２−１〜４はそれぞれ同じ仕様であるから、ＤＣ／ＤＣコンバータ２−２〜４の中間リンクコンデンサ２５の容量をＤＣ／ＤＣコンバータ２−１の中間リンクコンデンサ２５の容量に合わせる必要がある。よって図３に示した比較例に係る接続態様においては、リップル電流の大きさに対応して要求寿命を満たすために、ＤＣ／ＤＣコンバータ２−１の中間リンクコンデンサ２５の容量が大きくされる結果、他のＤＣ／ＤＣコンバータ２−２〜４の中間リンクコンデンサ２５の容量も必要以上に大きくされた冗長な設計となる。
【００２０】
＜本実施形態に係る接続例＞
以下、接続例１〜５として、本実施形態に係る電力供給システム１におけるインバータ３とＤＣ／ＤＣコンバータ２との接続例を説明する。これらの接続例においては、インバータ３と各ＤＣ／ＤＣコンバータ２との間を接続する配線路のインピーダンスの最大値と最小値の差が所定値以内になるようにする。このようにすることで、各ＤＣ／ＤＣコンバータ２の中間リンクコンデンサ２５に流れるリップル電流の大きさの差を小さくすることができるので、中間リンクコンデンサ２５の容量を必要以上に大きくせず、できるだけ小さくすることができる。
【００２１】
＜接続例１＞
図５は、本実施形態に係る電力供給システム１におけるインバータ３とＤＣ／ＤＣコンバータ２との接続例１を示す図である。各ＤＣ／ＤＣコンバータ２とインバータ３との間を接続する配線路は、各ＤＣ／ＤＣコンバータ２に対応する配線を含む。インバータ３とＤＣ／ＤＣコンバータ２−１〜４とを接続する配線路の長さは、それぞれＬ１〜Ｌ４である。図３の比較例とは異なり、Ｌ１〜Ｌ４の間には、大小関係ではなく、それぞれ略等しい関係が成り立つ。図５においては配線路の断面積が一定であるものとすると、インバータ３とＤＣ／ＤＣコンバータ２−１〜４との間のインピーダンスはそれぞれ略等しい。よって、ＤＣ／ＤＣコンバータ２−１〜４それぞれの中間リンクコンデンサ２５に対して要求される容量を略等しくすることができ、各ＤＣ／ＤＣコンバータ２において共通する仕様である中間リンクコンデンサ２５の容量を必要最小限とすることができる。なお接続例１に係る配線路は、リード線であってもよいし、配線基板上に形成された配線であってもよいし、その他種々の態様の配線であってよい。
【００２２】
＜接続例２＞
図６は、本実施形態に係る電力供給システム１におけるインバータ３とＤＣ／ＤＣコンバータ２との接続例２を示す図である。インバータ３とＤＣ／ＤＣコンバータ２−１〜４とを接続する配線路は、配線基板１１上に形成されたバスライン１１１と分岐配線１１２とを備える配線を含み、バスライン１１１の一端はインバータ３に接続される。分岐配線１１２は接続部１１３でバスライン１１１に接続され、ＤＣ／ＤＣコンバータ２−１〜４はそれぞれ分岐配線１１２を介してバスライン１１１に接続される。ＤＣ／ＤＣコンバータ２−１〜４それぞれから分岐配線１１２とバスライン１１１とを経てインバータ３に至る配線の導電経路の長さは、それぞれＬ１〜Ｌ４である（図示せず）。図６において、ＤＣ／ＤＣコンバータ２−１〜４に接続される分岐配線１１２の長さをそれぞれ異ならせることにより、Ｌ１〜Ｌ４の間には、大小関係ではなく、それぞれ略等しい関係が成り立つ。図６においては導電経路上にあるバスライン１１１及び分岐配線１１２の断面積が一定であるものとすると、インバータ３とＤＣ／ＤＣコンバータ２−１〜４との間のインピーダンスはそれぞれ略等しい。よって、ＤＣ／ＤＣコンバータ２−１〜４それぞれの中間リンクコンデンサ２５に対して要求される容量を略等しくすることができ、各ＤＣ／ＤＣコンバータ２において共通する仕様である中間リンクコンデンサ２５の容量を必要最小限とすることができる。また、配線の実装面積の増大やコストアップを抑制可能となる。なお接続例２に係る配線路は、配線基板上に形成された配線としたが、その他種々の態様の配線であってよい。
【００２３】
＜接続例３＞
図７は、本実施形態に係る電力供給システム１におけるインバータ３とＤＣ／ＤＣコンバータ２との接続例３を示す図である。インバータ３とＤＣ／ＤＣコンバータ２−１〜４とを接続する配線路は、配線基板１１上に形成されたバスライン１１１と分岐配線１１２とを備える配線を含み、バスライン１１１の一端はインバータ３に接続される。分岐配線１１２は接続部１１３でバスライン１１１に接続され、ＤＣ／ＤＣコンバータ２−１〜４はそれぞれ分岐配線１１２を介してバスライン１１１に接続される。ここで接続例２とは異なり、図７においては、インバータ３から接続部１１３に至るバスライン１１１の導電経路が長いほど、当該接続部１１３におけるバスライン１１１の断面積が大きいものとする。そうすると、インバータ３からＤＣ／ＤＣコンバータ２−１との間のインピーダンスと、インバータ３からＤＣ／ＤＣコンバータ２−４との間のインピーダンスとの差が比較例と比べて小さくなり、その差は所定値以内となる。よって、ＤＣ／ＤＣコンバータ２−１〜４それぞれの中間リンクコンデンサ２５に対して要求される容量が所定範囲内となり、各中間リンクコンデンサ２５の容量をできるだけ小さいものとすることができる。また、配線の実装面積の増大やコストアップを抑制可能となる。なお接続例３に係る配線路は、配線基板上に形成された配線としたが、その他種々の態様の配線であってよい。
【００２４】
＜接続例４＞
図８は、本実施形態に係る電力供給システム１におけるインバータ３とＤＣ／ＤＣコンバータ２との接続例４を示す図である。インバータ３とＤＣ／ＤＣコンバータ２−１〜４とを接続する配線路はバスバー１２を含み、インバータ３に対してＤＣ／ＤＣコンバータ２−１〜４がバスバー１２を介して順次に接続される。つまり、インバータ３とＤＣ／ＤＣコンバータ２−１とがバスバー１２で接続され、ＤＣ／ＤＣコンバータ２−１とＤＣ／ＤＣコンバータ２−２とがバスバー１２で接続され、以下、ＤＣ／ＤＣコンバータ２−４までバスバー１２で接続される。図８においては、インバータ３からＤＣ／ＤＣコンバータ２−１〜４それぞれに至るバスバー１２を含む配線路の導電経路が長いほど、当該ＤＣ／ＤＣコンバータ２に接続されるバスバー１２の断面積が大きいものとする。そうすると、インバータ３からＤＣ／ＤＣコンバータ２−１との間のインピーダンスと、インバータ３からＤＣ／ＤＣコンバータ２−４との間のインピーダンスとの差が比較例と比べて小さくなり、その差は所定値以内となる。よって、ＤＣ／ＤＣコンバータ２−１〜４それぞれの中間リンクコンデンサ２５に対して要求される容量が所定範囲内となり、各中間リンクコンデンサ２５の容量をできるだけ小さいものとすることができる。
【００２５】
＜接続例５＞
図９は、本実施形態に係る電力供給システム１におけるインバータ３とＤＣ／ＤＣコンバータ２との接続例５を示す図である。インバータ３とＤＣ／ＤＣコンバータ２−１〜４とを接続する配線路はリード線１３を含み、インバータ３に対してＤＣ／ＤＣコンバータ２−１〜４がリード線１３を介して順次に接続される。つまり、インバータ３とＤＣ／ＤＣコンバータ２−１とがリード線１３で接続され、ＤＣ／ＤＣコンバータ２−１とＤＣ／ＤＣコンバータ２−２とがリード線１３で接続され、以下、ＤＣ／ＤＣコンバータ２−４までリード線１３で接続される。図９においては、インバータ３からＤＣ／ＤＣコンバータ２−１〜４それぞれに至るリード線１３を含む配線路の導電経路が長いほど、当該ＤＣ／ＤＣコンバータ２に接続されるリード線１３の本数が多いものとする。例えば図９においては、インバータ３とＤＣ／ＤＣコンバータ２−１との間を接続するリード線は１本であり、ＤＣ／ＤＣコンバータ２−３とＤＣ／ＤＣコンバータ２−４との間を接続するリード線は４本である。そうすると、インバータ３からＤＣ／ＤＣコンバータ２−１との間のインピーダンスと、インバータ３からＤＣ／ＤＣコンバータ２−４との間のインピーダンスとの差が比較例と比べて小さくなり、その差は所定値以内となる。よって、ＤＣ／ＤＣコンバータ２−１〜４それぞれの中間リンクコンデンサ２５に対して要求される容量が所定範囲内となり、各中間リンクコンデンサ２５の容量をできるだけ小さいものとすることができる。
【００２６】
以上、本実施形態に係る電力供給システム１について説明してきたが、接続例１〜５のようにすることで、各ＤＣ／ＤＣコンバータ２とインバータ３との間のインピーダンスの最大値と最小値との差を所定値以内とすることができる。この結果として、各ＤＣ／ＤＣコンバータ２の中間リンクコンデンサ２５の容量に対して要求される容量が所定範囲内となり、各中間リンクコンデンサ２５の容量を必要以上に大きくせずに済み、できるだけ小さくすることができる。また中間リンクコンデンサ２５の容量が小さくなることによって、部品コストを下げることができる。
【００２７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置の各構成部が実行するステップを含む方法としても実現し得るものである。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００２８】
１  電力供給システム
１０  電力供給機器
１１  配線基板
１１１  バスライン
１１２  分岐配線
１１３  接続部
１２  バスバー
１３  リード線
２  ＤＣ／ＤＣコンバータ
２１  入力コンデンサ
２２  ＤＣリアクトル
２３  スイッチ
２４  ダイオード
２５  中間リンクコンデンサ
３  インバータ
４  蓄電池ユニット
５  太陽光発電ユニット
６  商用電力系統
【図１】
2017034764.tif 000003
【図２】
2017034764.tif 000004
【図３】
2017034764.tif 000005
【図４】
2017034764.tif 000006
【図５】
2017034764.tif 000007
【図６】
2017034764.tif 000008
【図７】
2017034764.tif 000009
【図８】
2017034764.tif 000010
【図９】
2017034764.tif 000011